(57)【要約】      （修正有）【課題】低圧空間の設置により小規模発電所を実現する。【解決手段】必ず小規模発電装置設備とし、各種冷却設備をしっかりと設置を行なう事とし、出来るだけ強力な低圧空間の設置方法を考えれば日本国内や世界中で数百箇所のが出現する事となる。【選択図】図１
2014214744.tif 000002
【特許請求の範囲】
【請求項１】
〔図１〕内の「低気圧創出大容量負圧発生容器」内での超低気圧空間を常態空間とするべく、本容器内に諸々の強力な空気等の吸引吸圧装置等を多数設置を行なう事とする。
その最大で強力な装置は「大容量負圧発生吊上げ油圧装置」とする。
そしてその吸引吸圧排出装置等に依り充分に本容器内を常時低圧空間状態に維持する事とする。
そして各々喫水線部分が図１の通り出現する事となり、空気圧の吸引等に依る海水位面の上昇が出現した「低気圧創出大容量負圧発生容器」内の空気圧は当然低気圧となり自然界の原理に依る気圧の低下に依る温度の降下等と同時により強力な負圧の出現ともなる。
継続された負圧、低気圧の状態が保持される事となれば当然より気圧の低下状態となり、より強力な低温化に依るより強力な気圧低下に依る低気圧空間の出現維持が行なわれる事となり、この強烈な低気圧空間内に〔図１〕内の通り、数十箇所〜等よりの回転扇外側部分に設置がされた「噴射吹付回転翼」部分に外周十数箇所に設置がされた「高圧空気噴出装置」部分と各々１対として設置がされた「高圧海水吸引噴出装置」各々より、大量の冷温海水と「低気圧創出大容量負圧発生容器」内の浮遊冷海水が各々「噴射吹付回転翼」部分に次々にと噴射がされる事となる。
当然この大量の各々噴出される冷海水は全て「低気圧
2014214744.tif 000007
「低気圧創出大容量負圧発生容器」内の下方部分に現出する「低気圧発生操作内低圧喫水線」部分にも「深海冷海水吸引装置」に依り、この喫水線の海水面部分に次々にと冷海水として放出がなされ、この冷海水が前記２方法の各噴出装置より、噴出〜落下、〜噴出落下とこの空間内で繰り返されるだけの事となる
当然本低気圧空間の保持確保には殆んど何ら影響等は無い事となり、ほぼ自然界の強力な低気圧空間状態が本装置の稼動に依り、出現確保がなされる事となる。
2014214744.tif 000008
そしてより厖大な発電量が可能となる為に、同時に回転扇部分の浮力増強となる「浮力強化海中空間の浮力活用、又「回転慣性強化鋼鉄重量物５ｔ〜２０ｔ」部分の活用に依る回転慣性力の強化等の同時活用を行ない乍ら、より強烈な発電の現出となる「大規模低気圧空間創出設置
2014214744.tif 000009
【発明の詳細な説明】
【技術分野】
【０００１】  お風呂につかり風呂樋を逆さにして上方へと持ち上げると負圧の発生するのは誰でも知っている処であり、本発明はこの負圧を大規模に設置する事に依り強力な超低気圧空間の創出を狙ったものであり風呂樋は人力で持ち上げるが、各種強力な油圧機器等にて強力に持ち上げる事とすれば当然図１の通りの強力な負圧の発生と同時に気温の低下等に依る低気圧状態となりその上に強力に吸引吸圧を行なえばより強力な低気圧状態の出現となり、その低気圧状態の維持は充分に継続可能なものとなり、その低気圧状態の活用を行なう事に依り発電を行なうものである。【０００２】  本発明は強大な台風等の発生時に必ず起こる暴風雨等の自然の威力を是非共発電方法に活用利用出来ないものかと思案を重ねたものであり、規模は小さいが超低気圧空間が海上部分を活用すればこんなにも簡単に出現出来る事に大変驚いた次第であり、個人的には大発見したものと嬉しく思っており、是非発電方法の１ツにしたいと思っています。【０００３】  以上の通り図１図２にて説明する。【０００４】  ２５０年程前のヨーロッパに於いて手押し式空気ポンプを使用し鋼製半球内の空気を抜き両側から各々８頭ずつの馬で引張るとしても、全く引き離す事が出来ないという実験に依り大気圧中での気圧と強力な真空状態となった銅製半球内での気圧差がいかに強烈であるかという事と、お風呂に入った
2014214744.tif 000003
ある一定の高さまで持ち上げるとその風呂桶内の水位は周囲の水面より高くなる事は誰でも知っている事であり、ほぼ前記の実験の１６頭の馬と同様の原理となるが、当然真空度合い水面と鋼製半球等々の違いに依る真空保持の強弱が想定される事となる。
当然海水の内外水位差が発生低気圧の強弱を示すものとなりその空気を油圧装置等に依り上方部分へ引張り上げるとすると必ず大規模な真空状態に近い低気圧部分が現出し、その発生する負圧分の海面喫水線（負圧発生容器内）部分が上昇する事となる。
そしてこの強い真空状態の維持は各種真空空気圧維持装置等に依り充分に持続が可能となる。
又強力な吸引吸圧力に依る「低気圧発生操作内低圧喫水線と船内喫水線との水位差は大切な現象となる。
本発明申請の理由は前記海上部分での低気圧空間等の創出が至極簡単に出現が可能となる方法を発見したものであり、次の通りとする。
まず海中海上部分に強力な浮力容器船等を周囲に設置をし、強力な浮力の確保を行なう事とする。
そしてその内側部分に直径百ｍ〜数百ｍの空気容器
2014214744.tif 000004
低気圧空間が出現する事となる。
当然多少の調整等は各種吸引ポンプ等にて行なう事とする。
又この負圧空間内に於いては当然空気量の低下に依る低気圧状態が現出し、気温も下がる事となるが、当然この低気圧状態の継続は自然の天候とは全く違い長期間の安定確保が充分可能となる。
そしてこの低気圧状態の継続確保が可能となれば、各々の回転稼動発電が可能となり、まずその回転稼動力の継続に於いては本低気圧発生容器部分の海面部分よりの海水の吸い上げに依る高水圧噴出噴射装置に依る放水と本低気圧空間内に設置がされた暴風発生装置の稼動を行ない、その各々の噴出力が台風の暴風雨と同様に発生をしその噴射噴出力は「低気圧発生操作内低圧喫水線」部分よりの冷海水の継続された供給がいつまでも限り無く行なわれる事になり、「高圧空気噴出装置」からも「浮遊海水取込口」よりの空中に浮遊した噴出冷海水と冷温空気の同時吸入噴射となり、台風時に暴風雨が一定方向に継続噴射となり強大なエネルギーを見せつける事と同様に本設備装置に於いても同様に一定低気圧内冷低温海水、低温内浮遊冷海水等の継続噴射が行なわれる事に依る本回転扇発電装置の下部部分に設置がされた鋼鉄重量物の「浮力強化海中空間」部分の同時活用を狙った「回転慣性強化鋼鉄重量物」の強大な回転慣性力の活用も同時に行なわられ、低気圧低温空間創出内暴風雨発生装置活用に依る強大で厖大な自然エネルギー発電が行なわられる海中発電設備となる。【０００５】
【特許文献】特にありません。
【発明の概要】
【発明が解決しようとする課題】  毎年熱帯低気圧等に依る暴風雨に依る大規模災害はよく知っており、あそこまでも大規模でなくてもあの低気圧の活用は出来ないものかという事をいろいろと考えた結果大規模でなくても発電は充分に可能であり、特に常時海中（少し深い海）に於いては数度の温度でありその海水の環流は簡単である事に着目し、その低い海水と強い目の真空状態を創出すれば常時低気圧空間の創出の可能性を発見したものである。
【課題を解決するための手段】  いかにして、継続された低気圧空間を創出さすかであるが、大切な事は低気圧発生装置内の気温を必ず低下させなければならずまず低気圧発生容器内に深海部分よりの深海水の環流に依る海水温の低下と各種数十台設置の真空ポンプ等の活躍に依る低温化の促進と真空化等に依り必ず温度の低下に依る低気圧空間の創出維持は可能となり、そしてその中に設置がされた回転扇発電装置である浮力活用三相交流発電装置よりの各々回転翼部分に高圧噴出海水と低気圧空間内の浮遊水分を含む低温風を暴風雨状態として同時に噴射を行なえば正に超強力な暴風雨が出現する事となる。そしてこの大量の雨量は当然に下の海水面上である「低気圧発生操作内低圧喫水線」上に落下する事となり、「低気圧創出大容量負圧発生容器」を「大容量負圧発生
2014214744.tif 000005
「負圧発生用吸引吸圧装置」５基〜１０基にても本負圧発生容器内の空気の減圧を行なう事に依り、当然「低気圧発生操作内低圧喫水線」部分の上昇となるが、自然の海水の重量等に依る「船内喫水線」部分への回帰しようとする力も加わる事となり、より強力な負圧状態の低気圧空間が出現する事となり、その低気圧空間内に回転発電の為の「噴射吹付回転翼」部分の各々設置をする。
次にその回転稼動の為に下方海中部分よりの深海水の汲み上げに依る本低気圧空間部分と接する「低気圧発生操作内低圧喫水線」部分周辺に本冷温海水の放出が継続されより段々と強力な低気圧空間となる事となる。
そして「噴射吹付回転翼」部分の回転稼動の為に、下方冷海水海中部分よりの海水の汲み上げに依る低温高圧海水の噴出の継続と「浮遊海水取込口」よりの空気吸入に依る「高圧空気噴出装置」よりの低温霧状冷海水も同時に高圧噴出される事となり、正に自然界での猛烈台風時等での暴風雨状態の現出となり、人工の大暴風雨状態が本設備内にて、継続出現する画期的な発電装置が出現する事となる。
【発明の効果】  現在の発電方法の殆んどは高熱に依る蒸気タービン発電であり、現実には半分以上の高熱は無駄に空中に放出がなされ充分に地球温暖化に大きく貢献しているが、本発電方法が近い将来実現する事となれば、現在の石油、ガス、原子力等も大幅に減少し、いかに自然界の低気圧活用の力が強い事であるかと驚嘆する事となり私の想いであれば本台風発生装置を百基も設置をすれば現在の日本国内の総発電量よりも多くの発電量となり、又本発電設備の設置方法を４基×４基＝１６基等の集合設置とすれば設置コストは大きく下がる事となり、僅か数兆円もあれば百基は軽く設置が可能となり、発電コストの大半は海水の使用料のみとなる。
【図面の簡単な説明】
【図１】海上海中部分に強力な浮力空気容器等の設置を行ない、その浮力容器船周囲の強力な浮力の活用を行なう事とし、その内側部分に「低気圧創出大容量負圧発生容器」の設置とその発生容器を吊上げ確保の為の諸装置を行なう事とする。同時に「低気圧創出大容量負圧発生容器」下部内側部分の海水温低下の為の深海水の環流も「深海冷海水吸引装置」の稼動に依り「深海冷海水放出口」部分より「低気圧発生操作内低気圧喫水線」海水位部分へ継続噴出を行なう事に依り低気圧空間創出維持に大きく貢献すると同時に低気圧内暴風雨創出等にも活躍する事となり継続された低気圧内暴風雨空間の活躍に依る「噴射吹付回転翼」の軽快な高速回転となり「回転翼稼動浮力活用三相交流発電装置」の連続稼動に依る発電が行なわれる事となる図である。
【図２】〔図１〕部分と全く同じ設備装置の設置方法であるが本発電装置設備を２基〜１０基等複数基設置する時等には〔図２〕の通り船底海中部分を２基〜１０基等複数基設置をする時には〔図２〕の通り船底海中部分を空気容器の活用に依りプール方式とすれば〔図１〕方式より大幅に浮力が得られると同時に大重量海水の侵入に依る大重量浮遊船の出現となり、天然気候の厳しい環境に依る大波、暴風雨、諸潮流等に対しても充分に対応が出来る事となり、本発電船内での「低気圧創出大容量負圧発生容器」の安定稼動に依る低気圧空間部分の安定創出がより得やすくなる事と同時に諸設備の兼用設備活用等に依る諸々の相乗効果の現出となり、発電量に対する投資効率が大幅に上昇する事となる。
【発明を実施するための形態】
〔図１〕海上海中部分に強力な浮力容器を円型
2014214744.tif 000006
活用三相交流発電装置」を設置をしその内側部分に内臓する「回転慣性強化鋼鉄重量物５ｔ〜２０ｔ」の回転を行なう為に、まずすぐ下部分に「浮力強化海中空間」部分の設置と「噴射吹付回転翼」部分を発電の規模に応じて各々１０本〜２０本と設置を行なう事とし、その各々「噴射吹付回転翼」に図１内の通り〔図２〕〔図１〕の発電原理方法は全く同じであり、より大規模に設置する時の事を想定したものであり、深海海中よりの冷温海水の活用も全く同じであり、この様な大規模発電設備を設置する事に依る設備投資の効率化と同時に諸々の波動、諸々の海上海中潮流等に対する諸々の負荷の大幅な軽減等が必ず大幅に達成されるものであり、本発電装置設備に依る強力な浮力の確保に依る想像を超えた依り安全な海上海中発電基地が出現する事となる。
【図１】
2014214744.tif 000010
【図２】
2014214744.tif 000011